【手続補正書】
【提出日】平成16年6月8日(2004.6.8)
【手続補正１】
【補正対象書類名】明細書
【補正対象項目名】発明の名称
【補正方法】変更
【補正の内容】
【発明の名称】電子写真感光体、電子写真装置、プロセスカートリッジ、及び画像形成方法
【手続補正２】
【補正対象書類名】明細書
【補正対象項目名】特許請求の範囲
【補正方法】変更
【補正の内容】
【特許請求の範囲】
【請求項１】
電子写真感光体と、該電子写真感光体にトナーにより画像を形成するトナー像形成手段と、該電子写真感光体に接触して移動する中間転写体と、該電子写真感光体に形成された該トナー像を該中間転写体の第一の転写位置で該中間転写体に１次転写するための手段と、該中間転写体に転写された該トナー像を該中間転写体の第２の転写位置で転写材に２次転写する転写手段を有し、該中間転写体と該電子写真感光体とが下記式（１）又は（２）
１００．１≦（Ｖｄ／Ｖｉ）×１００≦１０５．０    ・・・（１）
１００．１≦（Ｖｉ／Ｖｄ）×１００≦１０５．０    ・・・（２）
（Ｖｄ：該電子写真感光体の線速度、Ｖｉ：該中間転写体の線速度）
で表される関係を有し、且つ該中間転写体の最表面層のＲａ［μｍ］が０．０１≦Ｒａ≦０．５である電子写真装置において用いられる電子写真感光体において、
該電子写真感光体の最表面層を周波数１［Ｈｚ］、温度２５［℃］の条件で動的粘弾性測定を行った際における損失弾性率Ｅ’’［Ｐａ］が、５．５×１０7≦Ｅ’’≦９．０×１０7であることを特徴とする電子写真感光体。
【請求項２】
該電子写真感光体の最表面層を周波数１［Ｈｚ］、温度２５［℃］の条件で動的粘弾性測定を行った際における損失弾性率Ｅ’’［Ｐａ］が、６．５×１０7≦Ｅ’’≦９．０×１０7である請求項１に記載の電子写真感光体。
【請求項３】
該電子写真感光体の最表面層を周波数１［Ｈｚ］、温度２５［℃］の条件で動的粘弾性測定を行った際における損失弾性率Ｅ’’［Ｐａ］と貯蔵弾性率Ｅ’［Ｐａ］の比ｔａｎδ（Ｅ’’／Ｅ’）が、９．２×１０-3≦ｔａｎδ≦２．６×１０-2である請求項２に記載の電子写真感光体。
【請求項４】
ｔａｎδ（Ｅ’’／ Ｅ’）が、１．１×１０-2≦ｔａｎδ≦２．３×１０-2である請求項３に記載の電子写真感光体。
【請求項５】
該電子写真感光体の最表面層がバインダー樹脂を含有し、該バインダー樹脂が少なくとも下記一般式（１）
【化１】
2004093864.tif 000001
（式中、Ｒ1〜Ｒ4は水素原子、炭素数１〜３のアルキル基またはアリール基を示すが、Ｒ1とＲ2の両方が水素原子となることはなく、かつＲ3とＲ4の両方が水素原子となることはない。）
で示される構成単位を有するポリアリレート樹脂を含む請求項１〜４のいずれかに記載の電子写真感光体。
【請求項６】
該電子写真感光体の該最表面層が電荷輸送物質を含有し、該最表面層に含まれる電荷輸送物質とバインダー樹脂との重量比が６／１０〜１２／１０である請求項５に記載の電子写真感光体。
【請求項７】
請求項１〜６のいずれかに記載の電子写真感光体と、該電子写真感光体にトナーにより画像を形成するトナー像形成手段と、該電子写真感光体に接触して移動する中間転写体と、該電子写真感光体に形成された該トナー像を該中間転写体の第一の転写位置で該中間転写体に１次転写するための手段と、該中間転写体に転写された該トナー像を該中間転写体の第２の転写位置で転写材に２次転写する転写手段を有し、該中間転写体と該電子写真感光体とが下記式（１）又は（２）
１００．１≦（Ｖｄ／Ｖｉ）×１００≦１０５．０      ・・・（１）
１００．１≦（Ｖｉ／Ｖｄ）×１００≦１０５．０      ・・・（２）
（Ｖｄ：該電子写真感光体の線速度、Ｖｉ：該中間転写体の線速度）
で表される関係を有し、且つ該中間転写体の最表面層のＲａ［μｍ］が０．０１≦Ｒａ≦０．５であることを特徴とする電子写真装置。
【請求項８】
請求項１〜６のいずれかに記載の電子写真感光体と、これに加えて帯電手段、現像手段、クリーニング手段からなる群より選ばれる少なくとも一つの手段を一体に支持し、画像形成装置本体に着脱可能であることを特徴とするプロセスカートリッジ。
【請求項９】
電子写真感光体に形成されたトナー像を中間転写体の表面に一次転写する工程と、該中間転写体表面に転写されたトナー像を転写材に２次転写する工程と、を有している画像形成方法であって、
（ｉ）該電子写真感光体の最表面層を周波数１[Ｈｚ]、温度２５[℃]の条件で動的粘弾性測定を行った際における損失弾性率Ｅ’’[Ｐａ]が、５．５×１０7≦Ｅ''≦９．０×１０7であり、
（ｉｉ）該中間転写体の該表面の表面粗さ[Ｒａ]が０．０１以上０．５以下であり、且つ
（ｉｉｉ）該電子写真感光体の線速度[Ｖｄ]、及び該中間転写体の線速度[Ｖｉ]が下記式（１）又は（２）
１００．１≦（Ｖｄ／Ｖｉ）×１００≦１０５．０      ・・・（１）
１００．１≦（Ｖｉ／Ｖｄ）×１００≦１０５．０      ・・・（２）
で示される関係を有していることを特徴とする画像形成方法。
【手続補正３】
【補正対象書類名】明細書
【補正対象項目名】０００１
【補正方法】変更
【補正の内容】
【０００１】
【発明の属する技術分野】
本発明は、電子写真感光体、電子写真装置、プロセスカートリッジ、及び画像形成方法に関する。
【手続補正４】
【補正対象書類名】明細書
【補正対象項目名】００１７
【補正方法】変更
【補正の内容】
【００１７】
【発明が解決しようとする課題】
本発明の目的は、いかなる環境下でも繰り返し使用において安定した特性を持ち、機械的、電気的強度に優れ、表面層上の傷、削れも少ない高品質な電子写真感光体、電子写真装置、プロセスカートリッジ及び画像形成方法を提供することである。
【手続補正５】
【補正対象書類名】明細書
【補正対象項目名】００２３
【補正方法】変更
【補正の内容】
【００２３】
即ち本発明は、電子写真感光体と、該電子写真感光体にトナーにより画像を形成するトナー像形成手段と、該電子写真感光体に接触して移動する中間転写体と、該電子写真感光体に形成された該トナー像を該中間転写体の第一の転写位置で該中間転写体に１次転写するための手段と、該中間転写体に転写された該トナー像を該中間転写体の第２の転写位置で転写材に２次転写する転写手段を有し、該中間転写体と該電子写真感光体とが下記式（１）又は（２）
１００．１≦（Ｖｄ／Ｖｉ）×１００≦１０５．０    ・・・（１）
１００．１≦（Ｖｉ／Ｖｄ）×１００≦１０５．０    ・・・（２）
（Ｖｄ：該電子写真感光体の線速度、Ｖｉ：該中間転写体の線速度）
で表される関係を有し、且つ該中間転写体の最表面層のＲａ［μｍ］が０．０１≦Ｒａ≦０．５である電子写真装置において用いられる電子写真感光体において、
該電子写真感光体の最表面層を周波数１［Ｈｚ］、温度２５［℃］の条件で動的粘弾性測定を行った際における損失弾性率Ｅ’’［Ｐａ］が、５．５×１０7≦Ｅ’’≦９．０×１０7であることを特徴とする電子写真感光体である。
【手続補正６】
【補正対象書類名】明細書
【補正対象項目名】００２４
【補正方法】変更
【補正の内容】
【００２４】
また、本発明は、上記電子写真感光体と、該電子写真感光体にトナーにより画像を形成するトナー像形成手段と、該電子写真感光体に接触して移動する中間転写体と、該電子写真感光体に形成された該トナー像を該中間転写体の第一の転写位置で該中間転写体に１次転写するための手段と、該中間転写体に転写された該トナー像を該中間転写体の第２の転写位置で転写材に２次転写する転写手段を有し、該中間転写体と該電子写真感光体とが下記式（１）又は（２）
１００．１≦（Ｖｄ／Ｖｉ）×１００≦１０５．０      ・・・（１）
１００．１≦（Ｖｉ／Ｖｄ）×１００≦１０５．０      ・・・（２）
（Ｖｄ：該電子写真感光体の線速度、Ｖｉ：該中間転写体の線速度）
で表される関係を有し、且つ該中間転写体の最表面層のＲａ［μｍ］が０．０１≦Ｒａ≦０．５であることを特徴とする電子写真装置である。
また、本発明は、上記電子写真感光体と、これに加えて帯電手段、現像手段、クリーニング手段からなる群より選ばれる少なくとも一つの手段を一体に支持し、画像形成装置本体に着脱可能であることを特徴とするプロセスカートリッジである。
【手続補正７】
【補正対象書類名】明細書
【補正対象項目名】００２５
【補正方法】変更
【補正の内容】
【００２５】
さらにまた、本発明は、電子写真感光体に形成されたトナー像を中間転写体の表面に一次転写する工程と、該中間転写体表面に転写されたトナー像を転写材に２次転写する工程と、を有している画像形成方法であって、
（ｉ）該電子写真感光体の最表面層を周波数１[Ｈｚ]、温度２５[℃]の条件で動的粘弾性測定を行った際における損失弾性率Ｅ’’[Ｐａ]が、５．５×１０7≦Ｅ''≦９．０×１０7であり、
（ｉｉ）該中間転写体の該表面の表面粗さ[Ｒａ]が０．０１以上０．５以下であり、且つ
（ｉｉｉ）該電子写真感光体の線速度[Ｖｄ]、及び該中間転写体の線速度[Ｖｉ]が下記式（１）又は（２）
１００．１≦（Ｖｄ／Ｖｉ）×１００≦１０５．０      ・・・（１）
１００．１≦（Ｖｉ／Ｖｄ）×１００≦１０５．０      ・・・（２）
で示される関係を有していることを特徴とする画像形成方法である。